(57)【特許請求の範囲】
【請求項１】
入水口と出水口とを有する本体ケースと、入水口からの水流が当たる受圧部を有し、受圧部に作用する水流による力で基端側の支軸を支点に自重に抗して上方に揺動する本体ケース内の水流応動レバーと、水流応動レバーの上方への揺動を検知する検知スイッチとを備える水流スイッチにおいて、
水流応動レバーの水流が当たる受圧部の面積が変化するように支軸の位置を可変とし、本体ケースの外部に露出する操作部材により支軸の位置を調節自在とすることを特徴とする水流スイッチ。
【発明の詳細な説明】
【技術分野】
【０００１】
本発明は、給湯器等で通水時にバーナに点火し通水停止時にバーナを消火するために使用する水流の有無を検知する水流スイッチに関する。
【背景技術】
【０００２】
従来、この種の水流スイッチとして、入水口と出水口とを有する本体ケースと、入水口からの水流が当たる受圧部を有し、受圧部に作用する水流による力で基端側の支軸を支点に自重に抗して上方に揺動する本体ケース内の水流応動レバーと、水流応動レバーの上方への揺動を検知する検知スイッチとを備えるものは知られている(例えば、特許文献１参照)。
【０００３】
ここで、特許文献１記載のものでは、水流応動レバーにウエート用のプレートを取付け、このプレートとして適切な重量のものを用いることで、実際のオン流量(検知スイッチが水流応動レバーの揺動を検知してオンするときの流量)が目標流量になるように調整している。
【０００４】
然し、オン流量は、部品寸法のばらつき等で変化することがある。この場合、上記従来例では、水流スイッチを分解して、水流応動レバーに別のウエート用プレートを付け替えることが必要になり、手間がかかる。
【先行技術文献】
【特許文献】
【０００５】
【特許文献１】実開平６−７８７６０号公報
【発明の概要】
【発明が解決しようとする課題】
【０００６】
本発明は、以上の点に鑑み、スイッチを分解することなく簡便にオン流量を調整できるようにした水流スイッチを提供することをその課題としている。
【課題を解決するための手段】
【０００７】
上記課題を解決するために、本発明は、入水口と出水口とを有する本体ケースと、入水口からの水流が当たる受圧部を有し、受圧部に作用する水流による力で基端側の支軸を支点に自重に抗して上方に揺動する本体ケース内の水流応動レバーと、水流応動レバーの上方への揺動を検知する検知スイッチとを備える水流スイッチにおいて、水流応動レバーの水流が当たる受圧部の面積が変化するように支軸の位置を可変とし、本体ケースの外部に露出する操作部材により支軸の位置を調節自在とすることを特徴とする。
【０００８】
本発明によれば、本体ケースの外部からの操作部材の操作で支軸の位置を変化させることにより、受圧部の面積が変化して、受圧部に作用する水流による力が変化し、この変化に伴いオン流量も変化する。従って、操作部材を操作するだけで、水流スイッチを分解することなく簡便にオン流量を調整できる。
【図面の簡単な説明】
【０００９】
【図１】(ａ)本発明の実施形態の水流スイッチの断面図、(ｂ)受圧部の面積が増加するように支軸を変位させた状態での実施形態の水流スイッチの断面図。
【図２】図１(ａ)のＩＩ−ＩＩ線で切断した切断平面図。
【図３】実施形態の水流スイッチの要部の分解状態の斜視図。
【発明を実施するための形態】
【００１０】
図１、図２を参照して、１は、本発明の実施形態の水流スイッチを構成する本体ケースを示している。本体ケース１は、前後方向(図１、図２の左右方向)に長手の直方体形状の内部空間と、内部空間の後部下面に臨む入水口１１と、内部空間の後部上面に臨む出水口１２とを有する。
【００１１】
また、水流スイッチは、本体ケース１内に設けた水流応動レバー２を備えている。水流応動レバー２は、入水口１１からの水流が当たる受圧部２１を有し、受圧部２１よりも前方に位置する基端側の支軸３を支点にして揺動自在である。そして、通水時に受圧部２１に作用する水流による力で、図１に仮想線で示す如く、水流応動レバー２が支軸３を支点に自重に抗して上方に揺動する。
【００１２】
水流スイッチは、更に、水流応動レバー２の上方への揺動を検知する検知スイッチ４を備えている。本実施形態では、水流応動レバー２にマグネット２２を取付けると共に、検知スイッチ４を本体ケース１の上面に取付けたリードスイッチで構成し、水流応動レバー２の上方への揺動でマグネット２２が検知スイッチ４に接近したときに、検知スイッチ４がオンするようにしている。
【００１３】
また、本実施形態では、水流応動レバー２の受圧部２１の面積が変化するように支軸３の位置を前後方向に可変とし、本体ケース１の外部に露出する操作部材５により支軸３の位置を調節自在としている。以下、この点について詳述する。
【００１４】
図３を参照して、水流応動レバー２の基端の左右両側部には下方に屈曲する脚片部２３が形成されており、水流応動レバー２を脚片部２３において支軸３に揺動自在に軸支している。また、本体ケース１の内部空間には、図３に示すガイド枠６が装着されている。ガイド枠６は、水流応動レバー２の左右両外側に位置する側板部６１を有しており、側板部６１の下部前側部分に前後方向に長手のガイド溝６２を形成している。そして、脚片部２３の外側に突出する支軸３の部分をガイド溝６２に前後方向に移動自在に係合させている。
【００１５】
支軸３の中央部にはブロック３１が固定されている。ガイド枠６には、入水口１１よりも前方位置でブロック３１の後方に対向する下部前板部６３が設けられており、下部前板部６３とブロック３１との間にバネ３２が介設されている。また、ガイド枠６の側板部６１の下部前側部分には、横方向外側に突出する上下一対のガイドレール部６４，６４が設けられている。そして、ガイドレール部６４，６４間に前後方向に摺動自在に係合する側片部７１を有する摺動体７を設け、摺動体７に突設した後方にのびるロッド部７２をブロック３１に当接させている。尚、ガイド枠６には、下部前板部６３よりも前方に位置する上部前板部６５が設けられており、水流応動レバー２が上部前板部６５の下縁への当接でそれ以上上方に揺動しないようにしている。
【００１６】
操作部材５は、本体ケース１の前板部の外面に固定したナット部１３に螺挿される雄ねじ部材で構成されている。そして、操作部材５の後端部を、本体ケース１の前板部を通して摺動体７に当接させ、操作部材５を回転させて螺進退させることにより、摺動体７を介してブロック３１、即ち、支軸３が前後方向に変位するようにしている。
【００１７】
上記実施形態によれば、本体ケース１の外部からの操作部材５の操作で支軸３を後方に変位させることにより、受圧部２１の面積が図１(ａ)の状態から図１(ｂ)に示す如く増加する。そして、受圧部２１の面積が増加すると、受圧部２１に作用する水流による力が増加して、より少ない流量で水流応動レバー２が上方に揺動し、オン流量が減少する。従って、操作部材５を操作するだけで、水流スイッチを分解することなく簡便にオン流量を調整できる。
【００１８】
尚、上記実施形態では、操作部材５を雄ねじ部材で構成しているが、これに限るものではなく、例えば、操作部材を回転軸で構成し、回転軸に連動するカムを介して支軸を変位させることも可能である。
【符号の説明】
【００１９】
１…本体ケース、１１…入水口、１２…出水口、２…水流応動レバー、２１…受圧部、３…支軸、４…検知スイッチ、５…操作部材。
【図１】
0005947324.tif 000002
【図２】
0005947324.tif 000003
【図３】
0005947324.tif 000004